(57)【要約】【課題】  既存のシステムで再生不能なコンテンツを再生可能にすると共に既存のシステムの変更を抑制することが可能な「ゲートウェイ装置、制御プログラム及びコンピュータ読み取り可能な記録媒体」を提供する。【解決手段】  ゲートウェイ部４は、車載ネットワークＡ及びネットワークＢの接続時に、オーディオデータ受信部３及びビデオ／地図データ受信部７の機器情報を取得し、当該機器情報に基づいて、オーディオデータ受信部３とビデオ／地図データ受信部７との関連付けを行う。ゲートウェイ部４は、操作制御部１からＤＶＤデータの送信要求を受信すると共にオーディオデータ受信部３でのオーディオデータの受信要求を受信し、当該受信要求に基づいて、取得したＤＶＤデータ内のオーディオデータをオーディオデータ受信部３に送信すると共に、ビデオ／地図データ受信部７にＤＶＤデータ内のビデオデータを送信する。【選択図】      図１
2008279915.tif 000002
【特許請求の範囲】
【請求項１】
第１コンテンツを送信する第１送信手段、前記第１コンテンツを受信し再生する第１受信再生手段及びユーザからの操作指示を入力する入力手段を有する第１システムに、前記第１コンテンツと第２コンテンツを含む複合コンテンツを送信する第２送信手段及び前記第２コンテンツを受信し再生する第２受信再生手段を有する第２システムを接続するゲートウェイ装置であって、
前記第１システム及び前記第２システムの接続時に、前記第１受信再生手段及び前記第２受信再生手段の機器情報を取得する取得手段と、
取得された機器情報に基づいて、前記第１データ受信再生手段と前記第２データ受信再生手段との関連付けを行う関連付け手段と、
前記入力手段から前記第２データ送信手段の複合コンテンツの送信要求を受信すると共に、前記入力手段から前記第１受信再生手段での当該複合コンテンツに含まれる第１コンテンツの受信要求を受信する受信手段と、
前記第１コンテンツの受信要求に基づいて、前記第２データ送信手段から取得した前記複合コンテンツに含まれる第１コンテンツを前記第１受信再生手段に送信すると共に、前記第１データ受信手段に関連付けされた第２データ受信再生手段に前記複合コンテンツに含まれる第２コンテンツを送信する送信手段と
を備えることを特徴とするゲートウェイ装置。
【請求項２】
前記第１システムは、車載ネットワークであることを特徴とする請求項１に記載のゲートウェイ装置。
【請求項３】
前記第１コンテンツはオーディオデータであり、前記第２コンテンツはビデオデータである又は前記第１コンテンツは音声データであり、前記第２コンテンツは地図データであることを特徴とする請求項１又は２に記載のゲートウェイ装置。
【請求項４】
前記受信手段は、前記複合コンテンツの送信要求に含まれる機能的アドレスに基づいて、当該複合コンテンツの送信元である前記第２データ送信手段を特定することを特徴とする請求項１乃至３のいずれか１項に記載のゲートウェイ装置。
【請求項５】
第１コンテンツを送信する第１送信手段、前記第１コンテンツを受信し再生する第１受信再生手段及びユーザからの操作指示を入力する入力手段を有する第１システムに、前記第１コンテンツと第２コンテンツを含む複合コンテンツを送信する第２送信手段及び前記第２コンテンツを受信し再生する第２受信再生手段を有する第２システムを接続するコンピュータに、
前記第１システム及び前記第２システムの接続時に、前記第１受信再生手段及び前記第２受信再生手段の機器情報を取得する取得手段、
取得された機器情報に基づいて、前記第１データ受信再生手段と前記第２データ受信再生手段との関連付けを行う関連付け手段、
前記入力手段から前記第２データ送信手段の複合コンテンツの送信要求を受信すると共に、前記入力手段から前記第１受信再生手段での当該複合コンテンツに含まれる第１コンテンツの受信要求を受信する受信手段、及び
前記第１コンテンツの受信要求に基づいて、前記第２データ送信手段から取得した前記複合コンテンツに含まれる第１コンテンツを前記第１受信再生手段に送信すると共に、前記第１データ受信手段に関連付けされた第２データ受信再生手段に前記複合コンテンツに含まれる第２コンテンツを送信する送信手段
として機能させることを特徴とする制御プログラム。
【請求項６】
第１コンテンツを送信する第１送信手段、前記第１コンテンツを受信し再生する第１受信再生手段及びユーザからの操作指示を入力する入力手段を有する第１システムに、前記第１コンテンツと第２コンテンツを含む複合コンテンツを送信する第２送信手段及び前記第２コンテンツを受信し再生する第２受信再生手段を有する第２システムを接続するコンピュータに、
前記第１システム及び前記第２システムの接続時に、前記第１受信再生手段及び前記第２受信再生手段の機器情報を取得する取得手段、
取得された機器情報に基づいて、前記第１データ受信再生手段と前記第２データ受信再生手段との関連付けを行う関連付け手段、
前記入力手段から前記第２データ送信手段の複合コンテンツの送信要求を受信すると共に、前記入力手段から前記第１受信再生手段での当該複合コンテンツに含まれる第１コンテンツの受信要求を受信する受信手段、及び
前記第１コンテンツの受信要求に基づいて、前記第２データ送信手段から取得した前記複合コンテンツに含まれる第１コンテンツを前記第１受信再生手段に送信すると共に、前記第１データ受信手段に関連付けされた第２データ受信再生手段に前記複合コンテンツに含まれる第２コンテンツを送信する送信手段
として機能させるためのプログラムを記録したことを特徴とするコンピュータ読み取り可能な記録媒体。
【発明の詳細な説明】
【技術分野】
【０００１】
本発明は、既存の車載ネットワークに対して新たなネットワークを追加する際に利用されるゲートウェイ装置、制御プログラム及びコンピュータ読み取り可能な記録媒体に関する。
【背景技術】
【０００２】
従来より、異なる形式の車両及び使用国に適用できるオーディオシステムが知られている（例えば、特許文献１参照）。このオーディオシステムでは、オーディオバスとデータバスとの間のデータ通信を行うオーディオゲートウェイユニットを備えている。このオーディオゲートウェイユニットには、異なる車両形式及び／又は国々に適用できる１つ以上の標準オーディオ機能、及び／又は１つ以上の他のオーディオ機能が、特定の車両形式及び／又は国に従ってパラメータ化可能であるように実装されている。
【特許文献１】特開平２００１−６３４８０号公報
【発明の開示】
【発明が解決しようとする課題】
【０００３】
しかしながら、上記特許文献１のオーディオシステムは、単にオーディオ機能の差し替え又は変更ができるに過ぎないものである。オーディオデータ以外のデータ、例えば、ＤＶＤデータを再生する場合には、ＤＶＤデータに含まれるオーディオデータの再生は実行できても、ビデオデータは再生されないおそれがある。
【０００４】
本発明の目的は、既存のシステムで再生不能なコンテンツを再生可能にすると共に既存のシステムの変更を抑制することが可能なゲートウェイ装置、制御プログラム及びコンピュータ読み取り可能な記録媒体を提供することにある。
【課題を解決するための手段】
【０００５】
上記目的を達成するため、本発明のゲートウェイ装置は、第１コンテンツを送信する第１送信手段、前記第１コンテンツを受信し再生する第１受信再生手段及びユーザからの操作指示を入力する入力手段を有する第１システムに、前記第１コンテンツと第２コンテンツを含む複合コンテンツを送信する第２送信手段及び前記第２コンテンツを受信し再生する第２受信再生手段を有する第２システムを接続するゲートウェイ装置であって、前記第１システム及び前記第２システムの接続時に、前記第１受信再生手段及び前記第２受信再生手段の機器情報を取得する取得手段と、取得された機器情報に基づいて、前記第１データ受信再生手段と前記第２データ受信再生手段との関連付けを行う関連付け手段と、前記入力手段から前記第２データ送信手段の複合コンテンツの送信要求を受信すると共に、前記入力手段から前記第１受信再生手段での当該複合コンテンツに含まれる第１コンテンツの受信要求を受信する受信手段と、前記第１コンテンツの受信要求に基づいて、前記第２データ送信手段から取得した前記複合コンテンツに含まれる第１コンテンツを前記第１受信再生手段に送信すると共に、前記第１データ受信手段に関連付けされた第２データ受信再生手段に前記複合コンテンツに含まれる第２コンテンツを送信する送信手段とを備えることを特徴とする。
【０００６】
また、本発明のゲートウェイ装置では、前記第１システムは、車載ネットワークであることを特徴とする。
【０００７】
さらに、本発明のゲートウェイ装置では、前記第１コンテンツはオーディオデータであり、前記第２コンテンツはビデオデータである又は前記第１コンテンツは音声データであり、前記第２コンテンツは地図データであることを特徴とする。
【０００８】
さらにまた、本発明のゲートウェイ装置では、前記受信手段は、前記複合コンテンツの送信要求に含まれる機能的アドレスに基づいて、当該複合コンテンツの送信元である前記第２データ送信手段を特定することを特徴とする。
【０００９】
本発明の制御プログラムは、第１コンテンツを送信する第１送信手段、前記第１コンテンツを受信し再生する第１受信再生手段及びユーザからの操作指示を入力する入力手段を有する第１システムに、前記第１コンテンツと第２コンテンツを含む複合コンテンツを送信する第２送信手段及び前記第２コンテンツを受信し再生する第２受信再生手段を有する第２システムを接続するコンピュータに、前記第１システム及び前記第２システムの接続時に、前記第１受信再生手段及び前記第２受信再生手段の機器情報を取得する取得手段、取得された機器情報に基づいて、前記第１データ受信再生手段と前記第２データ受信再生手段との関連付けを行う関連付け手段、前記入力手段から前記第２データ送信手段の複合コンテンツの送信要求を受信すると共に、前記入力手段から前記第１受信再生手段での当該複合コンテンツに含まれる第１コンテンツの受信要求を受信する受信手段、及び前記第１コンテンツの受信要求に基づいて、前記第２データ送信手段から取得した前記複合コンテンツに含まれる第１コンテンツを前記第１受信再生手段に送信すると共に、前記第１データ受信手段に関連付けされた第２データ受信再生手段に前記複合コンテンツに含まれる第２コンテンツを送信する送信手段として機能させることを特徴とする。
【００１０】
本発明のコンピュータ読み取り可能な記録媒体は、第１コンテンツを送信する第１送信手段、前記第１コンテンツを受信し再生する第１受信再生手段及びユーザからの操作指示を入力する入力手段を有する第１システムに、前記第１コンテンツと第２コンテンツを含む複合コンテンツを送信する第２送信手段及び前記第２コンテンツを受信し再生する第２受信再生手段を有する第２システムを接続するコンピュータに、前記第１システム及び前記第２システムの接続時に、前記第１受信再生手段及び前記第２受信再生手段の機器情報を取得する取得手段、取得された機器情報に基づいて、前記第１データ受信再生手段と前記第２データ受信再生手段との関連付けを行う関連付け手段、前記入力手段から前記第２データ送信手段の複合コンテンツの送信要求を受信すると共に、前記入力手段から前記第１受信再生手段での当該複合コンテンツに含まれる第１コンテンツの受信要求を受信する受信手段、及び前記第１コンテンツの受信要求に基づいて、前記第２データ送信手段から取得した前記複合コンテンツに含まれる第１コンテンツを前記第１受信再生手段に送信すると共に、前記第１データ受信手段に関連付けされた第２データ受信再生手段に前記複合コンテンツに含まれる第２コンテンツを送信する送信手段として機能させるためのプログラムを記録したことを特徴とする。
【発明の効果】
【００１１】
本発明によれば、既存の（第１の）システムで再生不能なコンテンツを再生可能にすることができると共に既存の（第１の）システムの変更を抑制することができる。
【００１２】
また、本発明によれば、新たなシステム変更が困難とされる車載ネットワークにおいても再生不能なコンテンツを再生可能にすることができる。
【００１３】
また、本発明によれば、既存の（第１の）システムで再生不能なビデオデータ又は地図データを再生可能にすることができる。
【００１４】
また、本発明によれば、既存の（第１の）システムから当該システム再生不能な複合コンテンツの送信元を特定する情報を出力することができる。
【発明を実施するための最良の形態】
【００１５】
以下、図面を参照しながら本発明の実施の形態を説明する。
【００１６】
図１は、本発明の実施の形態に係るゲートウェイ装置を含むゲートウェイネットワークシステム１００の構成を示すブロック図である。
【００１７】
ゲートウェイネットワークシステム１００は、車載ネットワークＡ（ＭＯＳＴ；Media Oriented System Transport）にネットワークＢ（ＩＥＥＥ１３９４）が接続されることで構成されている。
【００１８】
車載ネットワークＡは、ヒューマンマシンインタフェース（ＨＭＩ）である操作制御部１（入力手段）、ソース（Source）としてのオーディオデータ送信部２（第１送信手段）、及びシンク（Sink）としてのオーディオデータ受信部３（第１受信再生手段）を備えている。
【００１９】
操作制御部１は、ユーザがらの操作指示を入力する入力部（例えば、操作ボタンやタッチパネル）、及び車載ネットワークＡの全体を制御するマイコンなどで構成されている。このマイコンは、ＣＰＵ、ＲＯＭ、ＲＡＭなどを備えている。
【００２０】
オーディオデータ送信部２は、オーディオデータを格納するハードディスク及びオーディオデータを送信するインターフェース、又はオーディオデータを含むＣＤ等の記憶媒体がセットされたドライブ及びオーディオデータを送信するインターフェース（ＩＦ）などで構成されている。
【００２１】
オーディオデータ受信部３は、オーディオデータを受信するインターフェース（ＩＦ）、受信したオーディオデータを再生するサウンドプロセッサ、及びスピーカーなどで構成されている。
【００２２】
ネットワークＢは、ソースとしてのＤＶＤデータ送信部５（第２送信手段）、ソースとしてのナビゲーションデータ送信部６、シンクとしてのビデオ／地図データ受信部７（第２受信再生手段）、及びシンクとしてのオーディオデータ受信部８を備えている。
【００２３】
ＤＶＤデータ送信部５は、オーディオデータとビデオデータを含むＤＶＤデータを格納するハードディスク及びＤＶＤデータを送信するインターフェース、又はＤＶＤデータを含むＤＶＤメディアがセットされたドライブ及びＤＶＤデータを送信するインターフェース（ＩＦ）などで構成されている。
【００２４】
ナビゲーションデータ送信部６は、地図データと音声データを含むナビゲーションデータを格納するハードディスク及びナビゲーションデータを送信するインターフェース、又はナビゲーションデータを含むＤＶＤメディアがセットされたドライブ及びナビゲーションデータを送信するインターフェース（ＩＦ）などで構成されている。
【００２５】
ビデオ／地図データ受信部７は、ビデオデータ又は地図データを受信するインターフェース（ＩＦ）、及び受信したビデオデータ又は地図データを表示するディスプレイなどで構成されている。
【００２６】
オーディオデータ受信部８は、オーディオデータを受信するインターフェース（ＩＦ）、受信したオーディオデータを再生するサウンドプロセッサ、及びスピーカーなどで構成されている。
【００２７】
ゲートウェイ部４（取得手段、関連付け手段、受信手段及び送信手段）は、ＣＰＵ、ＲＯＭ、ＲＡＭ、又は車載ネットワークＡ及びネットワークＢを接続するためのネットワーク端子などを備え、車載ネットワークＡのシンク（オーディオデータ受信部３）とネットワークＢのシンク（ビデオ／地図データ受信部７）との関連づけを実行したり、車載ネットワークＡ及びネットワークＢの各構成部からコマンドを所望の宛先に送信したり、ネットワークＢの各構成部の動作を制御する。
【００２８】
図２は、ゲートウェイネットワークシステム１００で実行される処理を示すフローチャートである。
【００２９】
まず、ゲートウェイ部４は、車載ネットワークＡにネットワークＢが接続されたときに、ゲートウェイネットワークシステム１００を認識する（ステップＳ１）。
【００３０】
次いで、ゲートウェイ部４は、車載ネットワークＡ及びネットワークＢの各構成部の機器情報を取得し（ステップＳ２）、ネットワークＡのシンク（オーディオデータ受信部３）とこれに対応するネットワークＢのシンクとを関連付けする（ステップＳ３）。ここでは、例えば、オーディオデータ受信部３に関連付けされるシンクはビデオ／地図データ受信部７とする。ネットワークＢがＩＥＥＥ１３９４であるため、ゲートウェイ部４は、ネットワークＢの各構成部から取得する機器情報（具体的には、ConfigRomのModelInfo（モデル情報））に基づいて、オーディオデータ受信部３とこれに対応するシンクとを関連付けする。
【００３１】
上記の例では、オーディオデータ受信部３とビデオ／地図データ受信部７とを関連付けたが、これに限定されるものではなく、例えば、ネットワークＢのシンクとしてビデオレコーダ又はオーディオデータレコーダがある場合には、オーディオデータ受信部３とビデオレコーダ又はオーディオデータレコーダとを関連づけてもよい。
【００３２】
ゲートウェイ部４は、ネットワークＢの種類に応じて、オーディオデータ受信部３とこれに対応するシンクとの関連付けの方法を変更する。また、ゲートウェイ部４は、車載ネットワークＡにオーディオデータ受信部３以外のシンクがある場合には、当該シンクとこれに対応するネットワークＢのシンクも関連付けする。
【００３３】
操作制御部１は、ゲートウェイ部４を介してＤＶＤデータ送信部５及びナビゲーションデータ送信部６が接続されたことを認識する（ステップＳ４）。つまり、操作制御部１は、ソースとしてＤＶＤデータ送信部５又はナビゲーションデータ送信部６を選択することができる。
【００３４】
次に、操作制御部１が、例えば、ＤＶＤデータ送信部５を選択し、ＤＶＤデータ送信部５へのＤＶＤデータの送信要求（具体的にはAllocateコマンド）をゲートウェイ部４に送信する（ステップＳ５）。
【００３５】
Allocateコマンドには、機能ブロック（ヒューマンマシンインタフェース、オーディオアンプ、ＤＶＤビデオプレーヤ、ＡＭ／ＦＭチューナー、ディスプレイなど）を識別するためのFBlockIDと、同一種類の複数の機能ブロック（例えば、４個のスピーカーなど）を識別するためのInstIDとを含む。図３は、FBlockID、InstID及び機能ブロック名の関係を示す図である。FBlockIDとInstIDとの組み合わせは機能ブロックを特定するための機能的アドレスである。
【００３６】
ゲートウェイ部４はＤＶＤデータ送信部５へのＤＶＤデータの送信要求（Allocateコマンド）を受信する（ステップＳ６）。尚、操作制御部１が他のソース（例えば、ナビゲーションデータ送信部６）宛のデータ送信要求（Allocateコマンド）を送信している場合には、ステップＳ６でゲートウェイ部４は当該他のソース宛のデータ送信要求（Allocateコマンド）も受信する。ステップＳ６では、ゲートウェイ部４はデータ送信要求（Allocateコマンド）を受信することが目的なので、ゲートウェイ部４はレスポンスなどの動作を行わない。
【００３７】
その後、操作制御部１は、オーディオデータの受信要求（具体的にはconnectコマンド）をオーディオデータ受信部３及びゲートウェイ部４に送信する（ステップＳ７）。ゲートウェイ部４及びオーディオデータ受信部３は、オーディオデータの受信要求（connectコマンド）を受信する（ステップＳ８）。尚、ゲートウェイ部４は、操作制御部１からネットワークＢのシンク（ビデオ／地図データ受信部７又はオーディオデータ受信部８）への制御（例えばビデオ／地図データ受信部７又はオーディオデータ受信部８の選択）を許可する場合には、ビデオ／地図データ受信部７又はオーディオデータ受信部８とこれに対応するネットワークＡのシンクとを関連付けする。
【００３８】
次いで、ゲートウェイ部４は、ステップＳ６で受信した送信要求（Allocateコマンド）の宛先（ここではＤＶＤデータ送信部５）を割り出し、当該宛先にＤＶＤデータの送信要求を送信する（ステップＳ９）。具体的には、ゲートウェイ部４は、図３のFBlockID、InstID及び機能ブロック名の関係を示すテーブル情報を備え、ステップＳ６で受信した送信要求（Allocateコマンド）に含まれるFBlockID及びInstIDに基づいて、送信要求（Allocateコマンド）の宛先を割り出す。よって、操作制御部１は、車載ネットワークＡから当該車載ネットワークＡで再生不能なＤＶＤデータの送信元を特定する情報を出力することができる。
【００３９】
ＤＶＤデータ送信部５は、オーディオデータとビデオデータを含むＤＶＤデータをゲートウェイ部４に送信する（ステップＳ１０）。ゲートウェイ部４は、ステップＳ８の受信要求に基づいて、ＤＶＤデータに含まれるオーディオデータをオーディオデータ受信部３へ送信すると共に、ＤＶＤデータに含まれるビデオデータを、ステップＳ３でオーディオデータ受信部３に関連付けされたビデオ／地図データ受信部７へ送信する（ステップＳ１１）。オーディオデータ受信部３はＤＶＤデータに含まれるオーディオデータの再生を実行し、ビデオ／地図データ受信部７はＤＶＤデータに含まれるビデオデータの再生（表示）を実行して（ステップＳ１２）、本処理を終了する。
【００４０】
以上詳細に説明したように、ゲートウェイ部４は、車載ネットワークＡ及びネットワークＢの接続時に、車載ネットワークＡ及びネットワークＢのシンク（即ち、オーディオデータ受信部３、ビデオ／地図データ受信部７及びオーディオデータ受信部８）の機器情報を取得し、取得された機器情報に基づいて、オーディオデータを受信し再生するオーディオデータ受信部３とビデオデータを受信し再生するビデオ／地図データ受信部７との関連付けを行う。さらに、ゲートウェイ部４は、操作制御部１からＤＶＤデータ送信部５のＤＶＤデータの送信要求を受信すると共に、操作制御部１からオーディオデータ受信部３での当該ＤＶＤデータに含まれるオーディオデータの受信要求を受信し、当該オーディオデータの受信要求に基づいて、ＤＶＤデータ送信部５から取得したＤＶＤデータに含まれるオーディオデータをオーディオデータ受信部３に送信すると共に、オーディオデータ受信部３に関連付けされたビデオ／地図データ受信部７にＤＶＤデータに含まれるビデオデータを送信する。
【００４１】
よって、既存の車載ネットワークＡで再生不能なコンテンツを再生可能にすることができると共に既存の車載ネットワークＡの変更を抑制することができる。また、操作制御部１はビデオデータの送受信制御をすることなく、従来通りのオーディオデータの制御のみでビデオ／地図データ受信部７へのビデオデータの受信制御が可能となる。
【００４２】
さらに、新たなシステム変更が困難とされる車載ネットワークにおいても再生不能なコンテンツを再生可能にすることができる。
【００４３】
上記実施の形態では、ゲートウェイ部４、ＤＶＤデータ送信部５、ナビゲーションデータ送信部６、ビデオ／地図データ受信部７、及びオーディオデータ受信部８は独立した構成であるが、これらを適宜組み合わせることで一体に構成してもよい。
【００４４】
また、上記実施の形態では、ゲートウェイ部４は、操作制御部１からＤＶＤデータ送信部５のＤＶＤデータの送信要求を受信したが、操作制御部１からナビゲーションデータ送信部６のナビゲーションデータ（地図データ及び音声データ）の送信要求を受信してもよい。この場合、ゲートウェイ部４は、操作制御部１からオーディオデータ受信部３での当該ナビゲーションデータに含まれる音声データの受信要求を受信し、当該音声データの受信要求に基づいて、ナビゲーションデータ送信部６から取得したナビゲーションデータに含まれる音声データをオーディオデータ受信部３に送信すると共に、オーディオデータ受信部３に関連付けされたビデオ／地図データ受信部７にナビゲーションデータに含まれる地図データを送信する。
【００４５】
よって、既存の車載ネットワークＡで再生不能なコンテンツ（ここでは地図データ）を再生可能にすることができると共に既存の車載ネットワークＡの変更を抑制することができる。また、操作制御部１はナビゲーションデータ（又は地図データ）の送受信制御をすることなく、従来通りのオーディオデータの制御のみでビデオ／地図データ受信部７への地図データの受信制御が可能となる。
【００４６】
尚、ゲートウェイ部４の機能を実現するためのソフトウェアのプログラムが記録されている記録媒体をゲートウェイ部４に供給し、ゲートウェイ部４が記憶媒体に格納されたプログラムを読み出し実行することによっても、上記実施の形態と同様の効果を奏する。プログラムを供給するための記憶媒体としては、例えば、ＣＤ−ＲＯＭ、ＤＶＤ、又はＳＤカードなどがある。
【００４７】
また、ゲートウェイ部４のコンピュータ（即ち、ＣＰＵ）が、ゲートウェイ部４の機能を実現するためのソフトウェアのプログラムを実行することによっても、上記実施の形態と同様の効果を奏する。
【００４８】
尚、本発明は、上述した実施の形態に限定されるものではなく、その要旨を逸脱しない範囲内で種々変形して実施することが可能である。
【図面の簡単な説明】
【００４９】
【図１】本発明の実施の形態に係るゲートウェイ装置を含むゲートウェイネットワークシステム１００の構成を示すブロック図である。
【図２】ゲートウェイネットワークシステム１００で実行される処理を示すフローチャートである。
【図３】FBlockID、InstID及び機能ブロック名の関係を示す図である。
【符号の説明】
【００５０】
Ａ  車載ネットワーク
Ｂ  ネットワーク
１  操作制御部
２  オーディオデータ送信部
３  オーディオデータ受信部
４  ゲートウェイ部
５  ＤＶＤデータ送信部
６  ナビゲーションデータ送信部
７  ビデオデータ受信部
８  オーディオデータ受信部
【図１】
2008279915.tif 000003
【図２】
2008279915.tif 000004
【図３】
2008279915.tif 000005